(57)【要約】【課題】  簡易な構造で作製し易い可動接触子を備えた切替開閉器を提供する。【解決手段】  前後２箇所に固定接点６が対向するよう配置されると共に、両者の間に一対の可動接点７が配置され、起立配置された操作手段４が前方或いは後方へ傾倒操作されると、可動接点７が取り付けられた可動接触子８が前方或いは後方に選択傾倒して可動接点が何れか一方の固定接点６に接触して２系統の回路の切り替えが実施され、可動接触子８は１枚のブレード８ａの先端両面に可動接点７を配置して構成され、一対の可動接点７，７は、互いに位置をずらして近接配置されている。【選択図】  図３
2015211017.tif 000002
【特許請求の範囲】
【請求項１】
前後２箇所に固定接点が対向するよう配置されると共に、両者の間に一対の可動接点が配置され、起立配置された操作手段が前方或いは後方へ傾倒操作されると、前記可動接点が取り付けられた可動接触子が前方或いは後方に選択傾倒して前記可動接点が何れか一方の前記固定接点に接触して２系統の回路の切り替えが実施される切替開閉器であって、
前記可動接触子は１枚のブレードを有し、
前記一対の可動接点は、前記ブレードの先端両面に互いに位置をずらした状態で背中合わせに取り付けられて成ることを特徴とする切替開閉器。
【請求項２】
前記可動接触子は、上端に設けた回動支点を中心に回動して回路の切り替えを行う一方、
切替開閉器のケース側には前記回動支点を支持する回動軸が設けられ、
前記回動支点は、前方に回動する際に回動中心となる前側回動支点と、後方に回動する際に回動中心となる後側回動支点との２点が前後に隣接して配置されて成ると共に、
前記回動軸は、前記回動支点に対応して前後２カ所設けられて成ることを特徴とする請求項１記載の切替開閉器。
【発明の詳細な説明】
【技術分野】
【０００１】
本発明は、２系統の回路を切り替える切替開閉器に関する。
【背景技術】
【０００２】
２系統の回路を切り替える切替開閉器は、前後方向に一対の固定接点を対向するように配置する一方、この両者の中間に可動接点を配置し、１つの操作ハンドルを操作して可動接点の接続先を２つの固定接点の間で切り替えて回路の切替を行う。
そのため、切替開閉器に取り付けられている可動接点は、例えば特許文献１にあるように２つの可動接触子を背反する向きに配置して双方に取り付けたり、特許文献２にあるように１枚のブレードの両面に背中合わせに配置した。
【先行技術文献】
【特許文献】
【０００３】
【特許文献１】特開２００１−３５１４９７号公報
【特許文献２】特開２００３−１２３５９７号公報
【発明の概要】
【発明が解決しようとする課題】
【０００４】
しかしながら、２つの可動接触子を備えた構成は、構成部材が多く広い設置スペースが必要でありコスト高であった。また、１枚のブレードの両面に背中合わせに可動接点を配置したものにおいても、一方のみに取り付ける形態とは全く異なる専用の製造工程となるため、やはりコスト高となっていた。
【０００５】
そこで、本発明はこのような問題点に鑑み、少ない部材で容易に作製できる可動接触子を備えた切替開閉器を提供することを目的としている。
【課題を解決するための手段】
【０００６】
上記課題を解決する為に、請求項１の発明は、前後２箇所に固定接点が対向するよう配置されると共に、両者の間に一対の可動接点が配置され、起立配置された操作手段が前方或いは後方へ傾倒操作されると、可動接点が取り付けられた可動接触子が前方或いは後方に選択傾倒して可動接点が何れか一方の固定接点に接触して２系統の回路の切り替えが実施される切替開閉器であって、可動接触子は１枚のブレードを有し、一対の可動接点は、ブレードの先端両面に互いに位置をずらした状態で背中合わせに取り付けられて成ることを特徴とする。
この構成によれば、一対の可動接点は同一のブレードに設けられるし、その際互いに位置をずらして背中合わせに取り付けられるため、従来の片面のみに可動接点を設ける取付工程を利用できるし最小の部材で構成でき、低コストで作製できる。
【０００７】
請求項２の発明は、請求項１に記載の構成において、可動接触子は、上端に設けた回動支点を中心に回動して回路の切り替えを行う一方、切替開閉器のケース側には回動支点を支持する回動軸が設けられ、回動支点は、前方に回動する際に回動中心となる前側回動支点と、後方に回動する際に回動中心となる後側回動支点との２点が前後に隣接して配置されて成ると共に、回動軸は、回動支点に対応して前後２カ所設けられて成ることを特徴
とする。
この構成によれば、可動接触子の回動支点とこの回動支点を支持する回動軸とがそれぞれ前後２箇所に設けられているため、可動接点が何れにも接触しないオフ状態では、双方の回動支点と回動軸とを係合させた状態にでき、可動接触子の安定したオフ状態を実現できる。
【発明の効果】
【０００８】
本発明によれば、一対の可動接点は同一のブレードに設けられるし、その際互いに位置をずらして背中合わせに取り付けられるため、従来の片面のみに可動接点を設ける取付工程を利用できるし最小の部材で構成でき、低コストで作製できる。
【図面の簡単な説明】
【０００９】
【図１】本発明に係る切替開閉器の一例を示し、（ａ）は斜視図、（ｂ）は平面図である。
【図２】図１の切替開閉器の内部構造を示し、オフ状態の側面説明図である。
【図３】図２の状態における要部斜視説明図であり、（ａ）は斜め前方から見た図、（ｂ）は斜め後方から見た図である。
【図４】可動接点を一方の固定接点に接続した図２に対応する側面説明図である。図である。
【発明を実施するための形態】
【００１０】
以下、本発明を具体化した実施の形態を、図面を参照して詳細に説明する。図１は本発明に係る切替開閉器の一例を示し、（ａ）は斜視図、（ｂ）は平面図であり、３線から成る２系統の回路（図示せず）を切り替える３極対応の切替開閉器を示している。
図１において、１〜３は電線を接続する接続端子であり、１（１ａ〜１ｃ）は可動接点に接続される切替元端子、２（２ａ〜２ｃ）は切替先の２系統のうちの一方が接続される第１系統端子、３（３ａ〜３ｃ）は２系統のうちの他方が接続される第２系統端子である。また、４ａは切替操作する操作ハンドル、５は端子ネジである。
操作ハンドル４ａの前後の傾倒操作により、切替元端子１に接続された回路の接続先が、第１系統端子２に接続された回路か、第２系統端子３に接続された回路に切り替えが実施される。
【００１１】
切替元端子１及び第１系統端子２は、切替開閉器ケース１０の図示左側に配置される一方、第２系統端子３は図示右側に配置されている。また、操作ハンドル４ａはケース１０の上部に配置されている。尚、以下図示左側を前方、右側を後方として説明する。
【００１２】
ケース１０は、左右に４分割して形成され、左側３部材（第１ケース部材１０ａ，第２ケース部材１０ｂ，第３ケース部材１０ｃ）がそれぞれ１つの電路を切り替える切替機構を収容し、この３部材で３線から成る回路に対する切替機構を収容している。また、右端のケース１０ｄはケース１０の右側面を閉塞する閉塞板を構成している。
【００１３】
図２、図３は図１の第１ケース部材１ａの内部説明図であり、回路の接続を開放したオフ状態を示している。図２は側面説明図、図３（ａ）は斜め前方から見た斜視図、図３（ｂ）は斜め後方から見た斜視図である。
図２，図３において、６は固定接点、７は可動接点、８は可動接触子であり、固定接点６は前後から対向するように一対配置され、前側の固定接点６は第１系統端子２に接続され、後側の固定接点６は第２系統端子３に接続されている。尚、図３では操作ハンドル４ａ及び後述するコイルバネ２０は省略してある。
【００１４】
可動接触子８は、可動接点７を備えた１枚の帯状板体（ブレード）８ａとブレード８ａを回動させる回動支点１２を備えた基底部材８ｂとで構成され、ブレード８ａは両固定接点６，６の間の中間位置において垂下するよう配置され、上部が基底部材８ｂに固定されている。
そして可動接点７は、ブレード８ａの垂下された先端両面に背中合わせに取り付けられるが、図３に示すように横方向に位置をずらして重ならないよう近接して取り付けられている。尚、この構成に合わせて、対応する固定接点６も、それに合わせて前側の固定接点６と後側の固定接点６とは横方向に位置をずらして配置されている。
【００１５】
基底部材８ｂに設けられた回動支点１２は前後に２カ所形成され、ブレード８ａを前方に傾倒する際の回動支点１２ａと、後方に傾倒する際の回動支点１２ｂとがそれぞれ凹設されている。但し、回動支点１２は後述するフレーム１５の形状に合わせて左右が分離形成されている。尚、ブレード８ａは図示しない可撓導線により切替元端子１に接続されている。
【００１６】
一方、ケース１０の上部に突出した操作ハンドル４ａは、下部に配置された支持部材４ｂとで操作手段４を構成している。支持部材４ｂは、図３に示すように可動接触子８を左右から跨ぐように形成されて下方に延設され、延設された下端には回動支点１４が前後２カ所形成されている。回動支点１４は、前方に回動する際の回動支点１４ａと後方に回動する際の回動支点１４ｂとがそれぞれ凹設されている。但し、操作手段４の回動支点１４も可動接触子８と同様に、フレーム１５の形状に合わせて左右に分離形成されている。
【００１７】
そしてケース１０内には、支持部材４ｂと可動接触子８とを支持するフレーム１５が配置されている。フレーム１５は、左側板１５ａ、右側板１５ｂ、そして連結板１５ｃを有し、左右側板１５ａ，１５ｂは平行に配置されて後部において連結板１５ｃにより連結されている。
また、左右側板１５ａ，１５ｂの外側面には、操作手段４の回動支点１４を支持する一対の回動軸１６がそれぞれ突設され、左右側板１５ａ，１５ｂの対向する内側には可動接触子８の回動支点１２を支持する一対の回動軸１７がそれぞれ突設されている。
【００１８】
更に、可動接触子８と操作手段４とは伸張したコイルバネ２０により互いに連結されてトグル機構が形成されている。このコイルバネ２０により、可動接触子８は回動軸１７に密着する上方へ付勢され、操作手段４は回動軸１６に密着する下方へ付勢された状態が維持される。
【００１９】
尚、可動接点７がいずれの固定接点６にも接触しないオフ状態では、可動接点７を有するブレード８ａの垂下部と起立するよう配置された操作ハンドル４ａとは一直線状に配置され、図２に示すように操作ハンドル４ａの中心軸Ｍ上に配置される。そして、このオフ状態では、操作手段４の前後の回動支点１４ａ，１４ｂ、及び可動接触子８の第１回動支点１２ａ、及び第２回動支点１２ｂは、この中心軸Ｍを中心として対称に配置され、コイルバネ２０の作用でこの一直線に配置された状態が維持される。
【００２０】
フレーム１５内においては、１組の操作手段４と可動接触子７とを連動させる切替機構が構成されており、図３に示すように第１ケース部材１０ａには１個のフレーム１５が組み付けられ、１極の切替機構が収容されている。こうして、３本の電路を開閉する図１の形態では、第１〜第３ケース部材１０ａ〜１０ｃを使用して３個のフレーム１５がケース１０内に組み付けられ、３個の切替機構が収容されている。
但し、操作手段４の操作ハンドル４ａは、３個の操作ハンドル４ａが一体化され、幅広の１個のハンドルとして形成されている。
【００２１】
図４は、操作ハンドル４ａを後方へ傾倒、即ち操作手段４を後方へ回動して後方の第２系統端子３に切替元端子１を接続した状態を示している。操作手段４を後方へ所定の角度回動すると、トグル機構の作用で可動接触子８が瞬時に後方に回動し、可動接点７が後方の固定接点６に接触する。その後、コイルバネ２０の作用で接触後は密着する。
【００２２】
尚、第１系統端子２に切替元端子１を接続する操作は、操作ハンドル４ａの前方への傾倒で実施され、同様にトグル機構の作用で可動接点７と固定接点６の密着が維持される。また、第２ケース部材１０ｂの内部、第３ケース部材１０ｃの内部も、第１ケース部材１０ａの場合と同様に、図２に示す構成を備え、それぞれ開閉機構が収容されており、第１〜第３ケース部材１０ａ〜１０ｃを連結することで、３極を切り替える切替機構が収納される。
【００２３】
このように、一対の可動接点７，７は同一のブレード８ａに設けられるし、その際互いに位置をずらして背中合わせに取り付けられるため、従来の片面のみに可動接点７を設ける取付工程を利用できるし最小の部材で構成でき、低コストで作製できる。
また、可動接触子８の回動支点１２とこの回動支点１２を支持する回動軸１７とがそれぞれ前後２箇所に設けられているため、可動接点７が何れにも接触しないオフ状態では、双方の回動支点１２ａ，１２ｂと回動軸１７，１７とを係合させた状態にでき、可動接触子８の安定したオフ状態を実現できる。
【００２４】
尚、上記実施形態は、三相電路等に使用可能とした３線を同時に切り替える構成を説明したが、２線を同時に切り替える場合は各接続端子を２極で構成すれば良く、ケース１０に収納するフレーム１５は２個となる。
【符号の説明】
【００２５】
１・・切替元端子、２・・第１系統端子、３・・第２系統端子、４・・操作手段、４ａ・・操作ハンドル、４ｂ・・支持部材、６・・固定接点、７・・可動接点、８・・可動接触子、８ａ・・ブレード、８ｂ・・基底部材、１０・・ケース、１２・・回動支点、１５・・フレーム、１７・・回動軸。
【図１】
2015211017.tif 000003
【図２】
2015211017.tif 000004
【図３】
2015211017.tif 000005
【図４】
2015211017.tif 000006